(57)【要約】  検査基板に設けられる配線の検査を行うため、該検査基板に設けられる検査点と該検査基板を検査する検査装置を電気的に接続するための検査治具であって、一端が前記検査点と導通接触するとともに、他端が前記検査装置と電気的に接続される電極部と導通接触する可撓性且つ導電性の接触子と、前記接触子の一端を前記検査点に案内する検査案内孔を有する検査側支持体と、前記接触子の他端を前記電極に案内する電極案内孔を有する電極側支持体とを有し、前記接触子は、前記検査点と接触する第一端部と前記電極部と接触する第二端部を有するとともに可撓性を有する棒状の導電性の導体部と、前記第一端部と第二端部を除く前記導体部の外周に絶縁被膜される絶縁部を有し、前記第二端部の長さは、前記電極体に当接する前記電極案内孔の深さよりも短く形成されていることを特徴とする、接触子の後端と電極との位置決めを容易にし、正確な検査を可能にする検査治具。
2012108066.tif 000002
【特許請求の範囲】
【請求項１】
検査基板に設けられる配線の検査を行うため、該検査基板に設けられる検査点と該検査基板を検査する検査装置を電気的に接続するための検査治具であって、
一端が前記検査点と導通接触するとともに、他端が前記検査装置と電気的に接続される電極部と導通接触する可撓性且つ導電性の接触子と、
前記接触子の一端を前記検査点に案内する検査案内孔を有する検査側支持体と、
前記接触子の他端を前記電極に案内する電極案内孔を有する電極側支持体と、
前記検査側支持体と前記電極側支持体を、所定間隔を有して配置して保持する支柱と、
前記電極が複数配置されるとともに、非検査時において、前記電極側支持体を所定距離離間させて保持する付勢手段を有する電極体とを有し、
前記接触子は、
前記検査点と接触する第一端部と前記電極部と接触する第二端部を有するとともに可撓性を有する棒状の導電性の導体部と、
前記第一端部と第二端部を除く前記導体部の外周に絶縁被膜される絶縁部を有し、
前記第二端部の長さは、前記電極体に当接する前記電極案内孔の深さよりも短く形成されていることを特徴とする検査治具。
【請求項２】
前記電極側支持体は、前記電極体へ向かって延出される軸部を有し、
前記電極体は、前記軸部を摺動可能に挿入保持する軸受部を有することを特徴とする請求項１記載の検査治具。
【請求項３】
前記付勢手段は、
前記電極側支持体の表面に当接する当接面を有する当接部材と、
前記当接部材を前記電極側支持体に付勢する付勢部を有することを特徴とする請求項１又は２に記載の検査治具。
【請求項４】
前記検査治具に設けられる前記付勢手段の押圧力は、該検査治具に設けられる前記接触子の押圧力よりも大きいことを特徴とする請求項１記載の検査治具。
【請求項５】
さらに、前記電極側支持体と前記電極体との間に可動プレートを有し、前記付勢手段が、該可動プレートとともに前記電極側支持体を前記検査側支持体側に付勢する付勢部を有することを特徴とする請求項１に記載の検査治具。
【請求項６】
さらに、前記電極体の周囲に可動プレートを有し、前記付勢手段が、該可動プレートとともに前記電極側支持体を前記検査側支持体側に付勢する付勢部を有することを特徴とする請求項１に記載の検査治具。
【発明の詳細な説明】
【技術分野】
【０００１】
本発明は、複数の配線が形成される基板等の被検査物の検査対象部上に予め設定される検査点と検査装置とを電気的に接続する検査治具に関する。
【背景技術】
【０００２】
検査治具は、接触子を経由して、被検査物が有する検査対象部に、検査装置から電力（電気信号など）を所定検査位置に供給するとともに、検査対象部から電気信号を検出することによって、検査対象部の電気的特性の検出、動作試験の実施等をするために用いられる。【０００３】
被検査物としては、例えば、プリント配線基板、フレキシブル基板、セラミック多層配線基板、液晶ディスプレイやプラズマディスプレイ用の電極板、及び半導体パッケージ用のパッケージ基板やフィルムキャリアなど種々の基板や、半導体ウェハや半導体チップやCSP(Chip size package)などの半導体装置が該当する。【０００４】
本明細書では、これらの上記の被検査物を総称して「被検査物」とし、被検査物に設定される検査対象部を「検査点」と称する。【０００５】
例えば、被検査物が基板であり、それに搭載されるＩＣ等の半導体回路や抵抗器などの電気・電子部品である場合には、基板に形成された対象部が、配線や電極となる。その場合には、対象部の配線が、それらに電気信号を正確に伝達できることを保証するため、電気・電子部品を実装する前のプリント配線基板、液晶パネルやプラズマディスプレイパネルに形成された配線上の所定の検査点間の抵抗値等の電気的特性を測定して、その配線の良否を判断している。【０００６】
具体的には、その配線の良否の判定は、各検査点に、電流供給用端子及び／又は電圧測定用の接触子の先端を当接させて、その接触子の電流供給用端子から検査点に測定用電流を供給するとともに検査点に当接させた接触子の先端間の配線に生じた電圧を測定し、それらの供給電流と測定した電圧とから所定の検査点間における配線の抵抗値を算出することによって行われている。【０００７】
また、基板検査装置を用いて検査用基板の検査を行う際には、治具移動手段を移動させて基板検査治具の検査用の接触子（接触ピン）を検査用基板の接触部分に当接させ、それにより所定の検査を行い、検査が終了すると、治具移動手段により検査治具を移動させて検査用基板から遠ざける、という制御が行われている。【０００８】
ここで、例えば特許文献１に開示される検査治具は、先端側支持体と、その先端側支持体と所定の隙間を介して配置される後端側支持体と、先端側支持体と後端側支持体を連結する連結体を備え、先端側支持体には検査対象と対向する対向面に直交する方向に先端側挿通孔が形成され、後端側支持体には先端側挿通孔の形成方向に対して傾斜する方向に後端側挿通孔が形成されている。また、後端側挿通孔は、この後端側挿通孔に挿通されたプローブの先端側が先端側挿通孔に向かうように先端側挿通孔に対して傾斜している。【０００９】
更に、プローブの後端が接触する電極が形成されている電極支持体が、プローブを保持する後端側支持体との間に所定の隙間を介して配置され、後端側支持体を付勢する付勢機構を備えている。この付勢機構は先端が円錐状に形成されており、後端側支持体の付勢機構が当接する部分に設けられた挿入孔に挿入することにより、電極支持体に支持されるプローブの後端と電極の位置決めも行っている。【００１０】
特許文献１に開示される検査治具では、プローブの先端が検査点の表面に接触した状態で擦りずれることにより検査点表面に発生する打痕を抑制するために、検査時にのみプローブの先端が突出するように付勢機構が設けられている。【００１１】
しかしながら、特許文献１に示される検査治具では、プローブの後端部分の長さが、後端側支持体の最も後側の小径孔の軸方向の長さより長く形成されている。このように形成されているため、プローブ後端は、プローブ後端の後端側支持体の後方表面と平行な面方向へぶれることになる。【００１２】
このため、被検査物の検査点にプローブの先端が当接する毎（検査が行われる毎）に、プローブの後端と電極が接触する状態が安定せず、検査が行われる毎にプローブと電極の接触抵抗が大きく変化する問題を有していた。このような問題を有しているため、検査毎に接触抵抗値が変化することになり、正確な検査を実施することができなかった。【００１３】
また更に、検査を繰り返すとプローブの後端が電極表面を擦ることになり、電極表面が摩耗して、正確な検査結果を得ることが困難になるという耐久性の問題を有していた。【００１４】
また、特許文献１の開示技術では、付勢機構に位置決めの役割を持たせているため、付勢機構の先端や挿入孔が当接することによって磨耗することになる。この場合、先端が初期の状態よりも深く挿入孔に入ってしまう場合が生じるため、先端や挿入孔が摩耗すると付勢力が変化することになる。付勢機構と挿入孔は複数設けられているため、摩耗の進み具合に応じてこれらの間で一定ではないため、場所によって後端側支持体が電極支持体を付勢する力に相違が生じることになる。このため、対向面が接触面に近づく際に、場所によって異なる付勢力に抗して、対向面と接触面が近づいてプローブの先端が検査点に接触することになる。
【先行技術文献】
【特許文献】
【００１５】
【特許文献１】特開２００９−０４７５１２号公報
【発明の概要】
【発明が解決しようとする課題】
【００１６】
本発明は、このような実情に鑑みてなされたもので、接触子の後端と電極との位置決めを容易にし、正確な検査の実施を可能にする検査治具を提供する。【００１７】
また、本発明は、接触子の交換等のメンテナンスが容易な検査治具を提供する。
【課題を解決するための手段】
【００１８】
請求項１に記載の発明は、検査基板に設けられる配線の検査を行うため、該検査基板に設けられる検査点と該検査基板を検査する検査装置を電気的に接続するための検査治具であって、一端が前記検査点と導通接触するとともに、他端が前記検査装置と電気的に接続される電極部と導通接触する可撓性且つ導電性の接触子と、前記接触子の一端を前記検査点に案内する検査案内孔を有する検査側支持体と、前記接触子の他端を前記電極に案内する電極案内孔を有する電極側支持体と、前記検査側支持体と前記電極側支持体を、所定間隔を有して配置して保持する支柱と、前記電極が複数配置されるとともに、非検査時において、前記電極側支持体を所定距離離間させて保持する付勢手段を有する電極体とを有し、前記接触子は、前記検査点と接触する第一端部と前記電極部と接触する第二端部を有するとともに可撓性を有する棒状の導電性の導体部と、前記第一端部と第二端部を除く前記導体部の外周に絶縁被膜される絶縁部を有し、前記第二端部の長さは、前記電極体に当接する前記電極案内孔の深さよりも短く形成されていることを特徴とする検査治具を提供する。【００１９】
請求項２に記載の発明は、前記電極側支持体は、前記電極体へ向かって延出される軸部を有し、前記電極体は、前記軸部を摺動可能に挿入保持する軸受部を有することを特徴とする請求項１記載の検査治具を提供する。【００２０】
請求項３に記載の発明は、前記付勢手段は、前記電極側支持体の表面に当接する当接面を有する当接部材と、前記当接部材を前記電極側支持体に付勢する付勢部を有することを特徴とする請求項１又は２に記載の検査治具を提供する。【００２１】
請求項４に記載の発明は、前記検査治具に設けられる前記付勢手段の押圧力は、該検査治具に設けられる前記接触子の押圧力よりも大きいことを特徴とする請求項１記載の検査治具を提供する。【００２２】
請求項５に記載の発明は、さらに、前記電極側支持体と前記電極体との間に可動プレートを有し、前記付勢手段が、該可動プレートとともに前記電極側支持体を前記検査側支持体側に付勢する付勢部を有することを特徴とする請求項１に記載の検査治具を提供する。【００２３】
請求項６に記載の発明は、さらに、前記電極体の周囲に可動プレートを有し、前記付勢手段が、該可動プレートとともに前記電極側支持体を前記検査側支持体側に付勢する付勢部を有することを特徴とする請求項１に記載の検査治具を提供する。
【発明の効果】
【００２４】
請求項１記載の発明は、接触子の第二端部の長さが、電極体に当接する電極案内孔の深さよりも短く形成されているので、接触子の他端が電極案内孔の内部に位置決めされることになり、接触子の後端を電極に安定して当接させることができ、接触子と電極を安定的に接触させることができる。【００２５】
請求項２記載の発明は、電極側支持体に軸部を設け、電極体に軸受部を設けることによって、電極側支持体と電極体を正確に接触させることができ、検査毎による位置ずれを起こすことがない。【００２６】
請求項３記載の発明は、付勢手段が、電極側支持体の表面に当接する当接面を有する当接部材と、当接部材を電極側支持体に付勢する付勢部を有して形成されることにより、付勢手段と電極側支持体が磨耗することなく、耐久性の高い検査治具を提供することができる。【００２７】
請求項４記載の発明は、検査治具に設けられる付勢手段の押圧力が、検査治具に設けられる接触子の押圧力よりも大きいため、接触子が検査点と電極の両方に確実に接触することができる。【００２８】
請求項５に記載の発明は、さらに、電極側支持体と電極体との間に可動プレートを有し、付勢手段が、可動プレートとともに電極側支持体を検査側支持体側に付勢する付勢部を有するため、電極側支持体側からの検査治具のメンテナンスを容易に行うことができる。【００２９】
請求項６に記載の発明は、さらに、電極体の周囲に可動プレートを有し、付勢手段が、可動プレートとともに電極側支持体を検査側支持体側に付勢する付勢部を有するため、電極側支持体側からの検査治具のメンテナンスを容易に行うことができるとともに、接触子の後端部と電極との接触を確実なものとすることができる。
【図面の簡単な説明】
【００３０】
【図１】本発明の実施の形態にかかる検査冶具１の概略側面図である。
【図２】図１に示す検査冶具１の平面図である。
【図３】図１に示す検査側支持体２の断面構造を示す概略部分断面図である。
【図４】図１に示す電極側支持体３の断面構造を示す概略部分断面図であり、（ａ）は非検査時の状態を示し、（ｂ）は検査時の状態を示している。
【図５】電極側支持体３の底面図である。
【図６】電極体６の平面図である。
【図７】図６に示す一実施形態に係る電極体を備える検査治具の非検査時の検査治具の状態を説明するための図６のＡ−Ａ線に沿って検査治具を見た、一部拡大断面図である。
【図８】図６に示す実施形態に係る電極体を備える検査治具の検査時の検査治具の状態を説明するための図６のＡ−Ａ線に沿って検査治具を見た、一部拡大断面図である。
【図９】図１に示す検査冶具を搭載した検査装置の概略構成図である。
【図１０Ａ】他の実施形態に係る電極体の平面図である。
【図１０Ｂ】非検査時における図１０Ａに示す電極体の状態の概略を示す正面図である。
【図１０Ｃ】検査時における図１０Ａに示す電極体の状態の概略を示す正面図である。
【図１１】図１０Ａに示す実施形態に係る電極体を備える検査治具の非検査時の状態を説明するための図１０ＡのＢ−Ｂ線に沿って検査治具を見た、一部拡大断面図である。
【図１２】図１０Ａに示す実施形態に係る電極体を備える検査治具の検査時の状態を説明するための図１０ＡのＢ−Ｂ線に沿って検査治具を見た、一部拡大断面図である。
【発明を実施するための形態】
【００３１】
本発明を実施するための最良の形態を説明する。
【００３２】
以下、本発明の実施形態を図面に基づいて説明する。
【００３３】
図１は、本発明の実施の形態にかかる検査冶具１の概略側面図である。ただし、本発明の構造理解のために一部を断面図にしている。図２は、図１に示す検査冶具１の平面図である。図３は、図１に示す検査側支持体２の断面構造を示す概略部分断面図である。図４は、図１に示す電極側支持体３の断面構造を示す概略部分断面図であり、（ａ）は非検査時の状態を示し、（ｂ）は検査時の状態を示している。図５は、電極側支持体３の底面図である。図６は、電極体６の平面図である。図７は、図６のＡ−Ａ線方向に見た、非検査時の検査治具１の状態を示しており、図１の一部を拡大した概略断面図を示す。図８は、図７に示す状態に対して、検査時の検査治具の状態を示しており、一部を拡大した概略断面図である。この図においても、断面は図６のＡ−Ａ線に沿って見た方向である。図９は、図１に示す検査冶具を搭載した検査装置の概略構成図である。なお、接触子の一端が図３で示されており、接触子の後端が図４で示されている。図７と図８は、非検査自と検査時を示しており、検査が行われる毎にこれらの状態が変移することになる。
【００３４】
以下の説明では、図１、図３、図４、図７乃至図９において、図面の上及び下をそれぞれ「先、先方又は前方」及び「後又は後方」として説明する。
【００３５】
［検査冶具の概要］
本実施形態の検査冶具１は、プリント配線基板や半導体集積回路等の被検査物５０の電気的検査を行う検査装置３０に搭載されて使用される（図９参照）。
【００３６】
この検査冶具１は、図１又は図２に示すように、治具本体部４０と、治具本体部４０が載置されるベース板４１と、治具本体部４０の先方への動きを規制する規制部材４２とを備えている。
【００３７】
治具本体部４０は、図１に示すように、検査側支持体２と、検査側支持体２の後方に所定の間隔を介して配置される電極側支持体３とを備えている。
【００３８】
検査側支持体２は、後述する接触子５の一端（先端５ｅ）を検査点に案内する検査案内孔１３を有している（図３参照）。電極側支持体３は、接触子５の他端（後端５ｆ）を電極７に案内する電極案内孔２０を有している（図４（ａ）、（ｂ）参照）。
【００３９】
検査側支持体２及び電極側支持体３は、それぞれ扁平な直方体状（矩形の板状）に形成されている。また、検査側支持体２と電極側支持体３とは、それらの表面が相互に平行になるように配置されている。
【００４０】
具体的には、検査側支持体２の４隅に配置される４本の支柱４によって、検査側支持体２と電極側支持体３とは連結固定されている（図１、図２参照）。本実施形態では、支柱４が、検査側支持体２と電極側支持体３とを連結している。
【００４１】
また、検査側支持体２及び電極側支持体３には、被検査物５０の検査点に接触する接触子としての複数の接触子５が挿通されている。
【００４２】
電極体６は、電極側支持体３の後方に取り付けられている（図１参照）。電極体６は、図１に示すように、接触子５（具体的には、接触子５の後端５ｆ）に導電接触する複数の電極７が固定されている。また、電極体６には、電極側支持体３を先方に向かって付勢する付勢手段１４と、被検査物５０の検査時に電極側支持体３の移動を規制するスライド機構８が取り付けられている。
【００４３】
接触子５は、タングステン、ハイス鋼（ＳＫＨ）、ベリリウム銅（Ｂｅ−Ｃｕ）等の金属その他の導電体で形成されるとともに、屈曲可能な弾性（可撓性）を有する棒状に形成されている。
【００４４】
本形態の接触子５は、図３及び図４に示すように、上記のような導電体で構成される導体部５ａと、この導体部５ａの外周面を覆う絶縁部５ｂとを備えている。絶縁部５ｂは、合成樹脂等の絶縁体で形成されている。絶縁部５ｂは、導体部５ａの表面に絶縁塗装を施すことによって形成される絶縁被膜を用いることができる。接触子５の両端には、絶縁部５ｂが形成されておらず、接触子５の一端（先端）には第一端部５ｃが形成され、接触子５の他端（後端）には第二反部５ｄが形成されている。なお、説明の都合上、第一端部５ｃの検査点に当接する部位を先端５ｆと、第二端部５ｄの電極に当接する部位を後端５ｆとする。
【００４５】
第一端部５ｃの先端５ｆや第二端部５ｄの後端５ｆは、図示のように半球面状に形成することもできる。
【００４６】
接触子５の第一端部５ｃは、検査時において、検査側支持体２の検査案内孔１３内を挿入支持される（図３参照）。第一端部５ｃの先端５ｅは、被検査物５０上に形成される検査点に導通接触することになる。
【００４７】
この第一端部５ｃの長さは、この検査案内孔１３の長さよりも長く形成される。これは、検査時に検査点と電極とにより接触子５が挟持されて湾曲するためである。図３では、非検査時の検査治具が示されており、接触子５の第一端部５ｃは検査案内孔１３内に収容され、第一端部５ｃの先端５ｅも検査案内孔１３内に配置されることになる。
【００４８】
接触子５の第二端部５ｄは、後述する電極側支持体３の電極案内孔２０により電極７（接触面７ａ）へ案内される（図４参照）。第二端部５ｄの後端５ｆは、電極７に導通接触することになる。
【００４９】
第二端部５ｄの長さは、詳細は後述するが、この電極案内孔２０を構成する小径孔１７ｂの軸方向の長さより短く形成される。
【００５０】
検査側支持体２は、被検査物５０が配置される側（先方）から順に複数（本形態では３枚）の支持板１０、１１、１２が積層されて構成されている。これらの支持板１０〜１２はボルト等の固定手段によって互いに固定されている。
【００５１】
また、図３に示すように、各支持板１０、１１、１２にはそれぞれ貫通孔１０ａ、１１ａ、１２ａが形成されている。これらの貫通孔１０ａ、１１ａ、１２ａが相互に連結されるように配置されることによって、接触子５の第一端部５ｃが挿通される１つの検査案内孔１３が構成されている。
【００５２】
更に、支持板１０の先側の表面が、被検査物５０に対向する対向面２ａとなっている。
【００５３】
検査案内孔１３は、被検査物５０への先方に向く接触子５の案内方向を有している。具体的には、検査案内孔１３は、対向面２ａに直交する接触子５の案内方向を有していることになる。そのため、被検査物５０の検査点に対してほぼ直角方向から接触子５の先端５ｅを接触させることができる。
【００５４】
また、検査案内孔１３は、検査冶具１が有する接触子５の数だけ形成されている。
【００５５】
３つの貫通孔１０ａ、１１ａ、１２ａは同心状に形成されている。図３では、貫通孔１０ａは、小径孔１０ｂと小径孔１０ｂより大径の大径孔１０ｃとから構成され、貫通孔１２ａは、小径孔１２ｂと小径孔１２ｂより大径の大径孔１２ｃとから構成されている。
【００５６】
また、小径孔１０ｂと小径孔１２ｂとは、導体部５ａの外径よりも若干大きく、かつ、絶縁部５ｂの部分の接触子５の外径よりも若干小さな内径で形成されている。
【００５７】
また、貫通孔１１ａの内径は、小径孔１０ｂの内径及び小径孔１２ｂの内径よりも大きくなっている。
【００５８】
接触子５の第一端部５ｃに形成される導体部５ａと絶縁部５ｂの境界である先端縁５ｇは、図３で示す如く、検査案内孔１３の小径孔１２ｂよりも後方に配置されている。
【００５９】
また、上述のように、小径孔１２ｂは、絶縁部５ｂの部分の接触子５の外径よりも若干小さな内径で形成されている。そのため、絶縁部５ｂの先端縁５ｇは、小径孔１２ｂの開ロ縁１２ｄに当接することになる。すなわち、先端縁５ｇと開ロ縁１２ｄとは、接触子５が検査対象側に抜け落ちることを防止するための抜け止め部となっている。
【００６０】
電極側支持体３は、検査側支持体２の先方から順に複数（本形態では３枚）の支持板１５、１６、１７が積層されて構成されている。これらの支持板１５〜１７はボルト等の固定手段によって互いに固定されている。
【００６１】
図４（ａ）又は図４（ｂ）に示されるように、各支持板１５〜１７にはそれぞれ貫通孔１５ａ、１６ａ、１７ａが形成されている。これらの貫通孔１５ａ〜１７ａが相互に連結されるように配置されることによって、接触子５の第二端部５ｄが挿通される１つの電極案内孔２０が構成されている。この電極案内孔２０は、検査冶具１が有する接触子５の数だけ形成される。
【００６２】
電極案内孔２０は、検査案内孔１３に形成される案内方向（すなわち、対向面２ａの直交方向）に対して傾斜する案内方向に形成されている。すなわち、３つの貫通孔１５ａ〜１７ａは、それぞれの中心が少しずつずれた状態で形成されており、電極案内孔２０の全体が対向面２ａの直交方向に対して傾斜する方向に形成されている。
【００６３】
たとえば、図４（ａ）に示すように、貫通孔１５ａ〜１７ａの順でその中心が図示右方向に少しずつずれた状態で、３つの貫通孔１５ａ〜１７ａが形成されている。すなわち、接触子５の後端側を案内する案内方向は、電極側支持体３の表面と直交する法線に対して傾斜する方向に案内することになる。
【００６４】
貫通孔１５ａは、小径孔１５ｂと小径孔１５ｂより大径の大径孔１５ｃとから構成されている。同様に、貫通孔１６ａは、小径孔１６ｂと大径孔１６ｃとから構成され、貫通孔１７ａは、小径孔１７ｂと大径孔１７ｃとから構成されている。
【００６５】
小径孔１５ｂ、１６ｂ、１７ｂは、絶縁部５ｂが形成された部分の接触子５の外径よりも若干大きな内径で形成されている。
【００６６】
また、上述のように、小径孔１７ｂは、絶縁部５ｂの部分の接触子５の外径よりも若干大きな内径で形成されており、絶縁部５ｂの後端縁５ｈは、小径孔１７ｂの内部に挿入可能となっている。接触子５は電極側支持体３の表面と直交する法線に対して傾斜して配置される。このため、接触子５は図４（ｂ）に示すように、小径孔１７ｂに対しても傾斜して配置されることになる。なお、この小径孔１７ｂは軸方向が電極側支持体３の表面に対して直交するように形成されている。
【００６７】
接触子５の第二端部５ｄに形成される導体部５ａと絶縁部５ｂの境界である後端縁５ｈは、図４（ｂ）の検査時の検査治具の状態に示されるように、電極案内孔２０の大径孔１７ｃよりも後方に配置されている。
【００６８】
このとき、後端５ｆの電極側支持体３の後方表面に平行な方向へ移動可能な量は、接触子５が小径孔１７ｂの内部で移動する範囲に規制されることになる。このため、接触子５が傾斜して挿入される場合（非検査時から検査時へ移行する場合又は検査時から非検査時へ移行する場合）に、第二端部５ｄの後端５ｆの移動可能な量を極めて少なくすることができ、安定して電極と接触することになる。
【００６９】
これにより、後述する電極７の接触面７ａと後端５ｆを接触させる場合に、接触面７ａと後端５ｆの精密な位置決めを行うことが可能となる。特に実際の検査においては、接触子５及び電極７は通常数千本設けられるため、接触面７ａと後端５ｆの位置決めが容易であることは、作業時間の短縮に大きく貢献することになる。
【００７０】
電極側支持体３の底面（後方表面）には、図５に示すように、円形状の挿入孔３ａが形成されている。具体的には、支持板１７を貫通するように、かつ、支持板１７の四隅のそれぞれの近傍に挿入孔３ａが形成されている。なお、図７に示すように、挿入孔３ａには、スライド機構８を構成する後述の軸部８ａが挿入されて固定されている。
【００７１】
各接触子５では、検査案内孔１３に挿通された第一端部５ｃが電極案内孔２０に挿通された第二端部５ｄよりも電極案内孔２０の案内方向の傾斜方向にずれた位置に配置されている。すなわち、接触子５の第一端部５ｃが挿通される検査案内孔１３の後端側の開口位置（すなわち、支持板１２の貫通孔１２ａの開口位置）は、図５に示すように、その接触子５の第二端部５ｄが挿通される電極案内孔２０から見て、電極案内孔２０の案内方向の傾斜側に配置されている。
【００７２】
電極体６は、図１に示すように、複数の電極７が埋設された矩形の支持板２２、２３と、電極７に導電接続される配線２４を保持する略ブロック状の支持部材２５とが積層されて構成されている。本形態の電極体６は全体として略直方体状に形成されており、後端面が固定板４８を介してベース板４１の前方表面に固定されている。なお、配線２４は後述する検査装置３０の制御部３１に接続される。
【００７３】
電極７の先方の表面は、図４に示すように、接触子５の後端５ｆが接触する接触面７ａとなっている。なお、接触子５の後端５ｆは、上述のように球面状に形成されている。そのため、傾斜する案内方向を有する電極案内孔２０に沿って接触子５の第二端部５ｄが傾斜しても、後端５ｆと接触面７ａは好適な導電接触状態になる。
【００７４】
電極体６には、スライド機構８が取り付けられることに加え、付勢手段１４も取り付けられている。具体的には、図６に示すように、電極体６の四隅のそれぞれの近傍にスライド機構８及び付勢手段１４が取り付けられている。本形態では、付勢手段１４がスライド機構８よりも電極体６の四隅から遠い位置に取り付けられている。
【００７５】
スライド機構８は、電極側支持体３の後方表面から突出する棒状の軸部８ａと、電極体６に固定され軸部８ａが挿入される円筒形状の軸受部８ｂを備えている（図１参照）。
【００７６】
軸部８ａは一端が電極側支持体３の支持板１７に後ろ方向に固定され、他端は後述する軸受部８ｂに挿通される。このとき、軸部８ａは軸方向が支持板１７の後方表面に対して直角となるように固定される。
【００７７】
軸受部８ｂは、電極体６に設けられた貫通孔（図示せず）に嵌めこまれて固定される。この軸受部８ｂは、例えば軸方向に並べた複数のボールベアリングを複数条内部に備えるリニアブッシュなどの直動軸受であり、軸受の内側の形状に応じて断面の形状や直径が好適に調整された軸部８ａが挿入されることになる。
【００７８】
軸受部８ｂに軸部８ａが挿通されることにより、軸部８ａは精度良く（軸方向に直角な方向への移動量が少なく）軸方向に直線運動（摺動）することができることになる。
【００７９】
スライド機構８は、電極側支持体３の電極体６に対する先後方向の移動を高精度に行うために設けられており、電極支持体３の後方表面と電極体６の前方表面が当接する際に、電極案内孔２０内に挿通された接触子５の後端５ｆと、電極体６に形成される電極７の接触面７ａを精度良く当接することを可能としている。
【００８０】
このため、スライド機構８を取り付ける際には、後端５ｄと接触面７ａが好適に接触するようにスライド機構８を取り付けることになる。
【００８１】
上述のように本形態では、スライド機構８が電極体６に取り付けられ、電極側支持体３と電極体６が前後方向に精度良く移動することを可能にしている。このため、電極側支持体３が外力によって前方に移動したとき、電極７の接触面７ａと電極側支持体３に挿通されている接触子５の後端５ｆを精度良く接触させることができる。
【００８２】
付勢手段１４は、電極体６の前方表面から突出して電極側支持体３に当接する当接部材４３と、当接部材４３の後端側が収納される筒部材４４と、筒部材４４に対して当接部材４３を先へ付勢する付勢部（圧縮コイルバネ４５）と、筒部材４４に当接部材４３を取り付けるためのＥ型止め輪等の止め輪４６とを備えている（図１参照）。
【００８３】
筒部材４４は、前端側が開口する有底の円筒状に形成されており、電極体６に固定されている。また、当接部材４３は、円筒形状を有しており、前側に配置される円筒部４３ａ、後側に配置され円筒部４３ａよりも径の小さな小径部４３ｂとから構成されている。
【００８４】
円柱部４３ａは、長軸方向に直角な平面を端面に有する円柱状に形成されている。そのため、当接部材４３の先端側は支持板１７の後方表面に当接することになる。
【００８５】
小径部４３ｂの外周側には、圧縮コイルバネ４５が挿通されている。具体的には、円筒部４３ａの後端面及び筒部材４４の底面に圧縮コイルバネ４５の端部のそれぞれが当接した状態で小径部４３ｂの外周側に圧縮コイルバネ４５が挿通されている。
【００８６】
また、小径部４３ｂの後端側は、筒部材４４の底面に形成された貫通孔に挿通され、筒部材４４の底面よりも後側に突出している。小径部４３ｂの後端には、止め輪４６が固定されている。
【００８７】
上述のように本形態では、付勢手段１４は、電極体６に取り付けられ、電極側支持体３を先方向に向かって付勢している。すなわち、付勢手段１４は、電極体６に固定された電極７の接触面７ａと、支柱４を介して電極側支持体３に固定された検査側支持体２の前方表面（すなわち、対向面２ａ）とが離れる方向に、検査側支持体２、電極側支持体３及び支柱４を付勢している。
【００８８】
規制部材４２は、図１に示すように、電極側支持体３の前方表面に当接する規制板４７と、規制板４７が固定される固定板４８とを備えている。
【００８９】
固定板４８は、治具本体部４０の後方に配置され、ベース板４１に固定されている。
【００９０】
規制板４７は、固定板４８の前端に固定されている。
【００９１】
本形態では、非検査時において、圧縮コイルバネ４５がわずかに撓んだ状態で、当接部材４３が電極側支持体３の後方表面（支持板１７の後方表面）に当接し、また、電極側支持体３の前方表面が規制板４７に当接している。すなわち、電極側支持体３は、付勢手段１４に付勢された状態で、規制板４７に当接している（図７参照）。
【００９２】
また、この状態では、電極側支持体３と電極保持体６との間にはわずかな隙間が形成されている。
【００９３】
なお、この状態では、検査側支持体２、電極側支持体３及び支柱４は前方に付勢されており、接触子５の先端５ｅは、対向面２ａから突出していない（図７参照）。すなわち、この状態では、接触子５の先端５ｅは検査案内孔１３の中に収納されていることになる。
【００９４】
［検査装置の概要］
図９は、図１に示す検査冶具１を搭載した検査装置３０の概略構成図である。
【００９５】
本形態の検査冶具１は、図９に示すように、被検査物５０の電気的検査（具体的には、断線や短絡等の検査）を行う検査装置３０に搭載されて使用される。
【００９６】
被検査物５０には、接触子５の先端５ｅが接触する検査点が形成されている。なお、被検査物５０には、たとえば、検査後にＩＣ等の電子部品が載置される。また、載置された電子部品は、たとえば、ワイヤボンディングによって検査で利用された検査点に接合される。
【００９７】
検査装置３０は、被検査物５０の導通状態を判定する検査回路を含む電気的検査手段としての制御部３１と、制御部３１に接続される駆動部（図示省略）と、駆動部によって駆動される検査機構３３とを備えている。
【００９８】
制御部３１には、検査冶具１の電極７が配線２４を介して導電接続されている。
【００９９】
検査機構３３は、検査冶具１が固定される第１支持盤３４と、第１支持盤３４に対向配置され、被検査物５０が固定される第２支持盤３５と、第１支持盤３４を先後方向に移動させる移動機構３６とを備えている。
【０１００】
移動機構３６は、たとえば、ボールネジ機構や油圧機構等によって構成され、駆動部によって駆動される。
【０１０１】
本形態では、第２支持盤３５は、被検査物５０を固定する固定手段であり、移動機構３６は、被検査物５０と検査冶具１の対向面２ａとが近づく方向に検査冶具１を移動させる移動手段となっている。
【０１０２】
なお、移動機構３６は、第２支持盤３５を先後方向に移動させても良い。
【０１０３】
また、第１支持盤３４は図示を省略する移動機構によって図９の紙面垂直方向に移動可能に構成され、第２支持盤３５は、図示を省略する移動機構によって図９の左右方向に移動可能に構成されても良い。
【０１０４】
［検査対象の検査手順及び検査時の検査冶具の動き］
図７は非検査時の検査治具の状態を示す図であり、図８は検査時の検査治具の状態を示す図である。本形態の検査装置３０は、検査冶具１の対向面２ａと被検査物５０と当接させながら、被検査物５０の電気的検査を行う。具体的には、検査装置３０は、以下のように検査を行う。
【０１０５】
まず、第１支持盤３４に検査冶具１を固定し、第２支持盤３５に被検査物５０を固定する。この状態では、図７に示すように、圧縮コイルバネ４５がわずかに撓んだ状態で、当接部材４３が電極側支持体３の後方表面に当接するとともに、規制板４７に電極側支持体３の前方表面が当接している。
【０１０６】
また、電極側支持体３の後方表面と電極体６の前方表面との間にはわずかな隙間が形成されている。さらに、この状態では、接触子５の先端５ｅは、対向面２ａから突出しておらず、検査案内孔１３の中に収納されている。
【０１０７】
また、この状態では、接触子５の後端５ｆは、電極７の接触面７ａに接触している。なお、この状態で、接触子５の後端５ｆが接触面７ａから僅かに離れていても良い。
【０１０８】
その後、制御部３１の制御信号で駆動部が移動機構３６を駆動すると、第１支持盤３４が第２支持盤３５に向けて接近し、やがて、対向面２ａが被検査物５０に当接する。
【０１０９】
対向面２ａが被検査物５０に当接すると、図８に示すように、付勢手段１４の付勢力に抗して、検査側支持体２、電極側支持体３及び支柱４が電極体６に向かって相対移動する。すなわち、接触面７ａと対向面２ａとが近づく方向に、検査側支持体２、電極側支持体３及び支柱４が電極体６に対して相対移動する。なお、このときには、電極側支持体３の前方表面は規制板４７から離れた状態となる。
【０１１０】
すると、接触子５の後端５ｆは、電極７によって前方に向かって押される。このとき接触子５の先端５ｅは被検査物５０の検査点に当接しているので、検査側支持体２と電極側支持体３との間で傾斜姿勢にあった接触子５の中間部分は撓む（屈曲する）。
【０１１１】
電極側支持体３の後方表面が電極体６の前方表面に当接するまで、検査側支持体２等が電極体６に対して相対移動して、接触子５の中間部分の撓み量が所定量になると、検査案内孔１３の中に収納されていた接触子５の先端５ｅは検査点に対して所定の接触圧で接触することになる。
【０１１２】
このとき、対向面と検査点が形成される面が隙間なく当接する場合には、先端５ｅは対向面から突出しないが、わずかに隙間がある場合には、隙間の分だけ先端５ｅが対向面から突出することになる。
【０１１３】
なお、屈曲する接触子５の中間部分の撓み方向は、接触子５の傾斜方向に応じた方向となっている。
【０１１４】
なおこのとき、スライド機構８の軸部８ａは一端に取り付けられた電極側支持体３が後方に移動するので、軸受部３ｂから後方に突出する長さが、電極側支持体３の移動量だけ長くなることになる。
【０１１５】
すると、接触子５の先端５ｅが被検査物５０の検査点に所定の接触圧で接触したとき、接触子５は検査点に導通する。この状態で、制御部３１が検査冶具１に対して所定の信号を供給したり、検査冶具１で検出した電位等を受け取ったりすることで、被検査物５０の電気的試験を行う。
【０１１６】
なお、図８に示す状態から、第１支持盤３４が第２支持盤３５から離れる方向へ移動していくと（すなわち、被検査物５０から離れる方向へ対向面２ａが移動していくと）、接触子５の中間部分の撓みが次第に解消され、検査冶具１は、図７に示す状態に戻る。
【０１１７】
すなわち、圧縮コイルバネ４５がわずかに撓んだ状態で、規制板４７に電極側支持体３の前方表面が当接し、接触子５の先端５ｅは検査案内孔１３の中に収納される。また、このときには、接触子５の後端５ｆは、電極７の接触面７ａに接触している。
【０１１８】
［本形態の効果］
以上説明したように、本形態では、接触子５の第二端部５ｄが電極側支持体３の最も後側の支持板１７に形成される小径孔１７ｂの軸方向長さよりも短く形成されている。
【０１１９】
このため、電極側支持体３で接触子５の後端側を安定して保持することができるので、検査治具を組み立てる際には、各部材（電極側支持体３、電極体６、スライド機構８等）の位置決めが容易になり、後端５ｆが精度良く電極７の接触面７ａに接触するようにすることができる。
【０１２０】
また、電極側支持体３の後方表面と電極体６の前方表面が近接している検査時には、接触子５の後端５ｄは電極７の接触面７ａに当接するとともに押圧されている。このとき、上述のように接触子５の後端側は電極側支持体３により安定して保持されているので、検査を行う度ごとに後端５ｄと接触面７ａの接触する位置が変化しないため、接触子５の接触抵抗値を一定に保つことができる。このため、正確な検査結果を得ることができる。
【０１２１】
また更に、検査治具１及び検査装置３０の検査時の動作は上述のとおりであるが、実際の使用時には、例えば、被検査物５０を自動的に供給・搬出する装置（ともに図示せず）を検査装置３０に備えることで、連続して被検査物の検査を行うことがある。この場合、検査治具１は連続して上記の検査時の動作を行うことになる。このとき、上述のように接触子５の後端側は電極側支持体３により安定して保持されているので、連続して検査が行われる場合であっても、後端５ｆと接触面７ａの位置が検査動作の度に相対的に変化しないため、後端５ｆが接触面７ａを擦ることによる接触面７ａの摩耗を防止することができる。
【０１２２】
また、付勢機構１４によって、電極７に形成される接触面７ａと検査側支持体２に形成される対向面２ａとが離れる方向に、検査側支持体２、電極側支持体３及び支柱４が付勢されている。
【０１２３】
そのため、被検査物５０と当接面２ａとが当接しておらず、検査冶具１に外力が働かないときには、付勢手段１４の付勢力で、検査側支持体２、電極側支持体３及び支柱４を付勢して、対向面２ａから接触子５の先端５ｅが突出しない状態（すなわち、接触子５の先端５ｅが検査案内孔１３内に配置される状態）にすることができる。
【０１２４】
一方、被検査物５０の検査時には、対向面２ａと被検査物５０とを当接させることで、付勢手段１４の付勢力に抗して接触面７ａと対向面２ａとを近づけることができる。
【０１２５】
そのため、検査時には、検査案内孔１３に挿通された接触子５の先端５ｅを対向面２ａからわずかに突出させて被検査物５０に所定の接触圧で接触させることができる。
【０１２６】
このように、本形態では、被検査物５０の検査時に、対向面２ａを被検査物５０に当接させた状態で、接触子５の先端５ｅを被検査物５０の検査点に所定の接触圧で接触させることができる。
【０１２７】
そのため、被検査物５０の検査点に先端５ｅが接触した状態における接触子５の先端５ｅのずれ量を接触子５の第一端部５ｃと検査案内孔１３との間の隙間程度に抑えることができる。すなわち、検査点に接触した状態での接触子５の先端５ｅのずれ量を微小にすることができ、その結果、被検査物５０の検査点の表面の傷の発生を抑制することができる。
【０１２８】
特に、本形態では、検査案内孔１３は被検査物５０に向く案内方向を有し、電極案内孔２０は先端側挿通孔２０のプローブ案内方向に対して傾斜する案内方向を有し、接触子５の第一端部５ｃは、接触子５の第二端部５ｄに対して電極案内孔２０の案内方向に傾斜する側にずれた位置に配置されている。
【０１２９】
したがって、被検査物５０の検査時に、検査側支持体２と電極側支持体３との隙間に配置される接触子５の中間部分が屈曲するため、被検査物５０の検査点に接触した状態で接触子５の先端５ｅがずれやすくなるが、本形態の構成を採用することで、検査点に接触した状態での接触子５の先端５ｅのずれ量を微小にすることができる。
【０１３０】
本形態では、付勢手段１４は、電極体６に取り付けられて電極側支持体３を付勢している。そのため、対向面２ａが被検査物５０に当接したとき（すなわち、検査時）には、互いに固定された検査側支持体２、電極側支持体３及び連結体４を一体で電極体６に対して相対移動させることができ、複数の接触子５の先端５ｅを確実に被検査物５０の検査点に接触させることが可能になる。
【０１３１】
すなわち、互いに固定された検査側支持体２、電極側支持体３及び連結体４は比較的剛性が高く、電極体６に対して相対移動しても変形しにくいため、対向面２ａからの複数の接触子５の先端５ｅの突出量をほぼ均等にすることが可能になり、複数の接触子５の先端５ｅを確実に被検査物５０の検査点に接触させることが可能になる。
【０１３２】
本形態では、付勢手段１４は、電極側支持体３の後方表面に先端が当接する当接部材４３を有し、当接部材４３の円柱部４３ａ先端は電極側支持体３の後方表面と平行な平面を有するように形成されている。そのため、当接部材４３が当接する電極側支持体３の後方表面の箇所は摩耗することがなく、付勢手段１４による付勢力の変化もないため、複数ある付勢手段１４は均一な付勢力を保ったまま、検査を実施することができる。
【０１３３】
本形態では、検査冶具１は、電極側支持体３の前方表面に当接して、前方へ向かう電極側支持体３の動きを規制する規制部材４２を備えている。
【０１３４】
そのため、前後方向において、検査冶具１に外力が働いていないときの検査側支持体２、電極側支持体３及び連結体４の位置決めを行うことができる。
【０１３５】
［他の実施の形態］
上述した形態は、本発明の好適な形態の一例ではあるが、これに限定されるものではなく本発明の要旨を変更しない範囲において種々に変形可能である。
【０１３６】
上述した形態では、接触子５の後端５ｆが接触する電極７の接触面７ａは平面状に形成されているが、この形状に限られない。例えば接触面７ａを平面状に形成した後接触面７ａ上にめっきなどを施して盛り上げたような形状に形成しても良い。
【０１３７】
上述した形態では、接触子５は、図示のように球面状に形成されている先端５ｅや後端５ｆを有している。
【０１３８】
この他にもたとえば、先端５ｅや後端５ｆは先端に向かって斜面を有するように円錐状に形成されていても良く、接触子５の長軸方向に対して直角な平面状に形成されていても良い。
【０１３９】
上述した形態では、接触子５は、検査側支持体２と電極側支持体３との間の中間部分が傾斜するように、検査側支持体２及び電極側支持体３に挿通されているが、接触子５は、中間部分が傾斜しないように検査側支持体２及び電極側支持体３に挿通されても良い。
【０１４０】
上述した形態では、付勢手段１４は、当接部材４３ａの先端が、電極側支持体３後方表面と平行な平面を有するように形成されている。
【０１４１】
この他にもたとえば、当接部材４３ａの先端形状は、平面よりもやや丸みを帯びた形状に形成しても良い。
【０１４２】
上述した形態では、付勢手段１４は、付勢部材としての圧縮コイルバネ４５によって付勢力を発生させている。
【０１４３】
この他にもたとえば、付勢手段１４は、引張りコイルバネあるいは板バネ等の他のバネ部材や、ゴム等の弾性部材等を付勢部材として付勢力を発生させても良い。
【０１４４】
上述した形態では、検査治具１は、電極側支持体３の前方表面に当接して電極側支持体３等の先への動きを規制する規制部材４２を備えている。
【０１４５】
この他にもたとえば、検査治具１は、検査側支持体２の対向面２ａに当接して検査側支持体２の先への動きを規制する規制部材を備えていても良い。
【０１４６】
また、検査治具１は、電極側支持体３等の先への動きを規制する規制部材を備えていなくても良い。この場合には、電極側支持体３等の先への抜けを防止する抜け止め部材が設けられていることが好ましい。
【０１４７】
上述した形態では、３枚の支持板１０〜１２によって検査側支持体２が構成されている。
【０１４８】
この他にもたとえば、２枚以下あるいは４枚以上の支持板で検査側支持体２が構成されても良い。
【０１４９】
同様に、上述した形態では、３枚の支持板１５〜１７によって電極側支持体３が構成されているが、２枚以下あるいは４枚以上の支持板で電極側支持体３が構成されても良い。
【０１５０】
また、上述した形態では、電極側支持体３の支持板１７から後方に延出するガイド機構の軸部８ａが支持板１７に固定されているが、軸部８ａを支持板１７から取り外し自在であるように構成してもよい。
【０１５１】
次に、図１０Ａ，１０Ｂ，１０Ｃ，１１及び１２に基づいて、他の実施形態に係る検査治具について説明する。
【０１５２】
図１から図９に示す実施形態では、スライド機構８の軸部８ａの先方の端部が、電極側支持体３の支持板１７に固定され、また、付勢手段１４の円筒部４３ａが電極体６の貫通孔を貫通して電極側支持体３の支持板１７の後方の面を検査側支持体２に向けて付勢していた。図１０Ａ，１０Ｂ，１０Ｃ，１１及び１２に示す実施形態では、詳しくは後述する通り、スライド機構８の軸部８ａの先方の端部は、電極体６の支持板２２の一部の可動プレート２２ｂに固定され、付勢手段１４の円筒部４３ａは、電極体６の支持板２２の一部の可動プレート２２ｂの後方の面を検査側支持体２に向けて付勢する。
【０１５３】
図１０Ａは、第二実施形態に係る電極体６の平面図であり、図１０Ｂ及び図１０Ｃは、図１０Ａに示す電極体６の正面図である。第一実施形態と同様に、第二実施形態でも、電極体６は、支持板２２，２３と支持部材２５とからなる。ただし、第二実施形態では、支持板２２に相当するものを、電極７の接触面７ａが固定された中央の電極プレート２２ａとその周囲に配置された可動プレート２２ｂとから構成する。電極プレート２２ａは支持板２３に固定されているが、可動プレート２２ｂは、支持板２３から離れるように付勢される。つまり、図１０Ｂ及び図１０Ｃに示すように、可動プレート２２ｂは、検査治具の先後方向に移動することができる。
【０１５４】
また、図１０Ａに示すように、可動プレート２２ｂの先方の面上の四隅の近くには、小突起部５２ａが設けられており、また、図１０Ａに向かって右側縦方向の２つの小突起の間に大突起５２ｂが設けられている。これらの突起は可動プレート２２ｂが支持板１７に当接した状態で支持板１７に形成された凹部（図示せず）に入り込んでいて、可動プレート２２ｂと支持板１７の位置決めを行う。
【０１５５】
また、図１０Ａに示すように、電極プレート２２ａ上の四隅の近くには、４つの付勢手段２６が設けられている。これらの付勢手段は、図示していないが、付勢手段１４と同様に、円筒部と円柱部とを備えており、円筒部が支持部材２５内に固定されていて円柱部が支持板１７の後方の面に当接する。付勢手段４３ａは可動プレート２２ｂとともに支持板１７に付勢力を与えるため、それによる付勢力は電極プレート２２ａの領域に面する支持板１７には作用しない。この結果、付勢手段４３ａの付勢力だけでは支持板が反り返る可能性がある。このため、付勢手段２６によって、電極の設けられている電極プレート２２ａの領域に面する支持板１７に付勢力を与えるようにし、これにより、支持板に比較的分散して均一な付勢力を加えることができるようにした。
【０１５６】
図１１は、第二実施形態に係る電極体を備える検査治具の一部拡大断面図で、非検査時の検査治具の状態を示す。この図に示すように、可動プレート２２ｂは支持板２３から離れた位置に保持されている。
【０１５７】
図１１に示すように、スライド機構８の軸受部８ｂが、電極体６の支持板２３及び支持部材２５に設けた貫通孔に嵌め込まれて固定され、スライド機構８の軸部８ａの先端部が、可動プレート２２ｂに形成された貫通孔２２ｂｈに嵌め込まれて固定されている。これにより、可動プレート２２ｂが、軸部８ａの軸線方向に沿って平行移動をすることができる。
【０１５８】
また、付勢手段１４の筒部材４４が、支持部材２５に設けた貫通孔に嵌め込まれて固定されており、また、付勢手段１４の円筒部４３ａの先方の端部が、支持板２３の貫通孔を貫通し、その先端面が可動プレート２２ｂの後方面に当接して可動プレート２２ｂを先方に付勢している。
【０１５９】
図１０Ａに示すように、可動プレート２２ｂの貫通孔２２ｂｈにスライド機構８の軸部８ａが固定され、また、可動プレート２２ｂの後方面の符号４３ａで示す位置に付勢手段１４の円柱部４３ａの先端部が当接する。すなわち、スライド機構８及び付勢手段１４が可動プレート２２ｂに作用するように配置されている。これらの位置は、第一実施例において電極体６の支持板２２を貫通しているスライド機構８の軸部８ａ及び付勢手段１４の円柱部４３ａの位置と同じである。
【０１６０】
再度図１１を参照すると、この図に示す状態では、電極体６の支持板２２ｂの後方面に付勢手段１４の円柱部４３ａの先端面が当接して、可動プレート２２ｂ及び電極側支持体３が規制板４７に向けて付勢されている。可動プレート２２ｂと支持板２３との間にはわずかな隙間が形成されている。
【０１６１】
次に、検査時に、検査治具１（図１）が被検査物５０に向けて動かされて、検査側支持体２の対向面２ａが被検査物５０に当接すると、電極側支持体３が後方に押し戻されて規制板４７から離れる。それに伴い、可動プレート２２ｂが、付勢手段１４の圧縮コイルばね４５の付勢力に抗して円柱部４３ａを支持部材２５の円筒部４４内に押し下げ、それとともに、スライド機構８の軸部８ａの軸線方向に沿って可動プレート２２ｂが下降する。図１２に示すように、可動プレート２２ｂが停止した際には、可動プレート２２ｂと支持板２３との間には隙間がある。これにより、接触子の後端部と電極との接触が確実になる前に可動プレート２２ｂが支持板２３に当接して下降が停止することを防止することができる。また、図１に示すように、電極側支持体３の支持板１７の表面は、可動プレート２２ｂ及び電極プレート２２ａを合わせた面と同一の形状となるので、支持板１７によって可動プレート２２ｂ及び電極プレート２２ａの全面を押すことになる。つまり、可動プレート２２ｂが停止した際には、可動プレート２２ｂの先方の面と電極プレート２２ａの先方の面とは、同一平面に配置されていることになる。これによっても、接触子の後端部と電極との接触が確実になることを保証することができる。なお、この場合には、規制板４７の後方面と電極側支持体３の支持板１５の先方面との間に隙間が形成されている。
【０１６２】
検査の際のプローブの作用は第一実施形態と同じである。
【０１６３】
接触子を交換する際には、検査治具１から治具本体部４０を取り外し、電極側支持体３の支持板１７の後方面から接触子の抜き取り及び取り付けを行う。その際、第一実施形態では、４本のスライド機構８の軸部８ａが電極側支持体３の支持板１７の後方面に固定されており、また、それらの４本の軸部８ａが、接触子の第二端部５ｄが取り付けられた電極案内孔２０の形成されている部分の四隅を囲んでいる。特に、近年の検査対象の微細化に伴い検査治具の治具本体部４０が小型化し、その結果、支持板１７上に固定された４本の軸部８ａの間隔が狭小化しているような場合には、接触子にアクセスするのが困難になる。また、微細化が進むことにより、治具本体部４０に用いられる支持板も薄いものが用いられることになる。このため、このような薄い支持板であれば、加工が難しくなったり、複数の孔を設けることにより、支持板自体の強度が低下したりする問題を有している。
【０１６４】
しかしながら、第二実施形態では、スライド機構８の軸部８ａは、可動プレート２２ｂに固定されていて電極側支持体３の支持板１７に固定されていないため、軸部８ａが作業を阻害することがなく、また、支持体１７自体の強度が低下して湾曲したりすることがないため、小型化された治具本体部４０であっても、接触子の交換等のメンテナンスを容易に行うことができる。
【０１６５】
上記の第二実施形態では、電極体６を電極プレート２２ａ及び可動プレート２２ｂで構成した。それに代えて、電極体６は、第一実施形態の場合と同様に一体のものを使用し、電極側支持体３の支持板１７と電極体６の支持板２２との間に、別途、移動自在な矩形のプレートを介装し、そのプレートにスライド機構８の軸部８ａの先端を固定するとともに、付勢手段１４の円柱部４３ａの先端面をそのプレートの後方面に当接してプレートを電極側支持体３の支持板１７に付勢するように構成してもよい。ただし、プレートには、電極側支持体３から突出する接触子の端部が電極体６の電極と接触できるような構成が形成されている必要がある。例えば、そのような接触位置に対応するプレートの部分に切欠きを形成したり、その部分に導電可能な構成を設けたりすることがある。この実施形態の場合も、第二実施形態と同様に、スライド機構８の軸部８ａは、可動プレート２２ｂに固定されていて電極側支持体３の支持板１７に固定されていないため、電極側支持体３の接触子の設けられている領域における接触子の交換等のメンテナンスが容易に行える。
【０１６６】
可動プレートは、非検査時に電極側支持体３を検査側支持体２側に向けて付勢でき、検査時に電極側支持体３及び検査側支持体２を平行に保持した状態で後退できるものであればどのようなものでもよいが、電極側支持体３の接触子の後端部が配置されている領域の辺りには、電極側支持体３を移動させるための部材は固定させない。
【０１６７】
以上、本発明に係るいくつかの実施形態に係る検査治具について説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【０１６８】
１ 検査冶具
２ 検査側支持体
２ａ 対向面
３ 電極側支持体
３ａ 挿入孔
４ 支柱
５ 接触子
５ａ 導体部
５ｂ 絶縁部
５ｃ 第一端部
５ｄ 第二端部
５ｅ 先端
５ｆ 後端
５ｇ 先端縁
５ｈ 後端縁
７ 電極
７ａ 接触面
８ スライド機構
８ａ 軸部
１３ 検査案内孔
１４ 付勢手段
２０ 電極案内孔
２２ａ 電極プレート
２２ｂ 可動プレート
３０ 検査装置
３１ 制御部（電気的検査手段）
３５ 第２支持盤（固定手段）
３６ 移動機構（移動手段）
４２ 規制部材
４３ 当接部材
４３ａ 円柱部
４５ 圧縮コイルバネ（付勢部材）
５０ 検査対象
【図１】
2012108066.tif 000003
【図２】
2012108066.tif 000004
【図３】
2012108066.tif 000005
【図４】
2012108066.tif 000006
【図５】
2012108066.tif 000007
【図６】
2012108066.tif 000008
【図７】
2012108066.tif 000009
【図８】
2012108066.tif 000010
【図９】
2012108066.tif 000011
【図１０Ａ】
2012108066.tif 000012
【図１０Ｂ】
2012108066.tif 000013
【図１０Ｃ】
2012108066.tif 000014
【図１１】
2012108066.tif 000015
【図１２】
2012108066.tif 000016
【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
検査基板に設けられる配線の検査を行うため、該検査基板に設けられる検査点と該検査基板を検査する検査装置を電気的に接続するための検査治具であって、
前記検査装置と電気的に接続される複数の電極を備える電極体であって、前記電極が設けられた支持板と該電極に接続される配線を保持する支持部材とを備える電極体と、
一端が前記検査点と導通接触するとともに、他端が前記電極と導通接触する可撓性且つ導電性の接触子と、
前記接触子の一端を前記検査点に案内する検査案内孔を有する検査側支持体と、
前記接触子の他端を前記電極に案内する電極案内孔を有する電極側支持体と、
前記検査側支持体と前記電極側支持体を、所定間隔を有して配置して保持する支柱とを有し、
前記電極体の前記支持部材は、非検査時において、前記電極側支持体を前記電極体から所定距離離間させて保持する付勢手段を有し、
前記電極体の前記支持部材は、非検査時において、前記電極側支持体を前記電極体から所定距離離間させて保持する付勢手段を有し、
前記接触子は、
前記検査点と接触する第一端部と前記電極と接触する第二端部を有するとともに可撓性を有する棒状の導電性の導体部と、
前記第一端部と第二端部を除く前記導体部の外周に絶縁被膜される絶縁部を有し、
前記第二端部の長さは、前記電極体に当接する前記電極案内孔の深さよりも短く形成されており、
さらに、前記電極体の前記支持板が、電極が固定された電極プレートと可動プレートとからなり、前記付勢手段が、該可動プレートとともに前記電極側支持体を前記検査側支持体側に付勢する付勢部を有することを特徴とする検査治具。
【請求項２】
前記電極側支持体は、前記電極体へ向かって延出される軸部を有し、
前記電極体は、前記軸部を摺動可能に挿入保持する軸受部を有することを特徴とする請求項１記載の検査治具。
【請求項３】
前記付勢手段は、
前記電極側支持体の表面に当接する当接面を有する当接部材と、
前記当接部材を前記電極側支持体に付勢する付勢部を有することを特徴とする請求項１又は２に記載の検査治具。
【請求項４】
前記検査治具に設けられる前記付勢手段の押圧力は、該検査治具に設けられる前記接触子の押圧力よりも大きいことを特徴とする請求項１記載の検査治具。
【請求項５】
さらに、前記可動プレートが前記電極プレートの周囲に配置されていることを特徴とする請求項１に記載の検査治具。
【手続補正２】
【補正対象書類名】明細書
【補正対象項目名】００１８
【補正方法】変更
【補正の内容】
【００１８】
請求項１に記載の発明は、検査基板に設けられる配線の検査を行うため、該検査基板に設けられる検査点と該検査基板を検査する検査装置を電気的に接続するための検査治具であって、前記検査装置と電気的に接続される複数の電極を備える電極体であって、前記電極が設けられた支持板と該電極に接続される配線を保持する支持部材とを備える電極体と、一端が前記検査点と導通接触するとともに、他端が前記電極と導通接触する可撓性且つ導電性の接触子と、前記接触子の一端を前記検査点に案内する検査案内孔を有する検査側支持体と、前記接触子の他端を前記電極に案内する電極案内孔を有する電極側支持体と、前記検査側支持体と前記電極側支持体を、所定間隔を有して配置して保持する支柱とを有し、前記電極体の前記支持部材は、非検査時において、前記電極側支持体を前記電極体から所定距離離間させて保持する付勢手段を有し、前記電極体の前記支持部材は、非検査時において、前記電極側支持体を前記電極体から所定距離離間させて保持する付勢手段を有し、前記接触子は、前記検査点と接触する第一端部と前記電極と接触する第二端部を有するとともに可撓性を有する棒状の導電性の導体部と、前記第一端部と第二端部を除く前記導体部の外周に絶縁被膜される絶縁部を有し、前記第二端部の長さは、前記電極体に当接する前記電極案内孔の深さよりも短く形成されており、さらに、前記電極体の前記支持板が、電極が固定された電極プレートと可動プレートとからなり、前記付勢手段が、該可動プレートとともに前記電極側支持体を前記検査側支持体側に付勢する付勢部を有することを特徴とする検査治具を提供する。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
請求項５に記載の発明は、さらに、前記可動プレートが前記電極プレートの周囲に配置されていることを特徴とする請求項１に記載の検査治具を提供する。
【手続補正５】
【補正対象書類名】明細書
【補正対象項目名】００４４
【補正方法】変更
【補正の内容】
【００４４】
本形態の接触子５は、図３及び図４に示すように、上記のような導電体で構成される導体部５ａと、この導体部５ａの外周面を覆う絶縁部５ｂとを備えている。絶縁部５ｂは、合成樹脂等の絶縁体で形成されている。絶縁部５ｂは、導体部５ａの表面に絶縁塗装を施すことによって形成される絶縁被膜を用いることができる。接触子５の両端には、絶縁部５ｂが形成されておらず、接触子５の一端（先端）には第一端部５ｃが形成され、接触子５の他端（後端）には第二端部５ｄが形成されている。なお、説明の都合上、第一端部５ｃの検査点に当接する部位を先端５ｆと、第二端部５ｄの電極に当接する部位を後端５ｆとする。
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
検査基板に設けられる配線の検査を行うため、該検査基板に設けられる検査点と該検査基板を検査する検査装置を電気的に接続するための検査治具であって、
前記検査装置と電気的に接続される複数の電極を備える電極体であって、前記電極が設けられた支持板と該電極に接続される配線を保持する支持部材とを備える電極体と、
一端が前記検査点と導通接触するとともに、他端が前記電極と導通接触する可撓性且つ導電性の接触子と、
前記接触子の一端を前記検査点に案内する検査案内孔を有する検査側支持体と、
前記接触子の他端を前記電極に案内する電極案内孔を有する電極側支持体と、
前記検査側支持体と前記電極側支持体を、所定間隔を有して配置して保持する支柱とを有し、
前記電極体の前記支持部材は、非検査時において、前記電極側支持体を前記電極体の前記支持部材から所定距離離間させて保持する付勢手段を有し、
前記接触子は、
前記検査点と接触する第一端部と前記電極と接触する第二端部を有するとともに可撓性を有する棒状の導電性の導体部と、
前記第一端部と第二端部を除く前記導体部の外周に絶縁被膜される絶縁部を有し、
前記第二端部の長さは、前記電極体に当接する前記電極案内孔の深さよりも短く形成されており、
さらに、前記電極体の前記支持板が、前記電極が固定された電極プレートと可動プレートとからなり、前記付勢手段が、該可動プレートとともに前記電極側支持体を前記検査側支持体側に付勢する付勢部を有することを特徴とする検査治具。
【請求項２】
前記電極側支持体は、前記電極体へ向かって延出される軸部を有し、
前記電極体の前記支持部材は、前記軸部を摺動可能に挿入保持する軸受部を有することを特徴とする請求項１記載の検査治具。
【請求項３】
前記付勢手段は、
前記可動プレートの表面に当接する当接面を有する当接部材と、
前記当接部材を前記電極側支持体に付勢する付勢部を有することを特徴とする請求項１又は２に記載の検査治具。
【請求項４】
前記検査治具に設けられる前記付勢手段の押圧力は、該検査治具に設けられる前記接触子の押圧力よりも大きいことを特徴とする請求項１記載の検査治具。
【請求項５】
さらに、前記可動プレートが前記電極プレートの周囲に配置されていることを特徴とする請求項１に記載の検査治具。
【手続補正２】
【補正対象書類名】明細書
【補正対象項目名】００１８
【補正方法】変更
【補正の内容】
【００１８】
請求項１に記載の発明は、検査基板に設けられる配線の検査を行うため、該検査基板に設けられる検査点と該検査基板を検査する検査装置を電気的に接続するための検査治具であって、前記検査装置と電気的に接続される複数の電極を備える電極体であって、前記電極が設けられた支持板と該電極に接続される配線を保持する支持部材とを備える電極体と、一端が前記検査点と導通接触するとともに、他端が前記電極と導通接触する可撓性且つ導電性の接触子と、前記接触子の一端を前記検査点に案内する検査案内孔を有する検査側支持体と、前記接触子の他端を前記電極に案内する電極案内孔を有する電極側支持体と、前記検査側支持体と前記電極側支持体を、所定間隔を有して配置して保持する支柱とを有し、前記電極体の前記支持部材は、非検査時において、前記電極側支持体を前記電極体の前記支持部材から所定距離離間させて保持する付勢手段を有し、前記接触子は、前記検査点と接触する第一端部と前記電極と接触する第二端部を有するとともに可撓性を有する棒状の導電性の導体部と、前記第一端部と第二端部を除く前記導体部の外周に絶縁被膜される絶縁部を有し、前記第二端部の長さは、前記電極体に当接する前記電極案内孔の深さよりも短く形成されており、さらに、前記電極体の前記支持板が、前記電極が固定された電極プレートと可動プレートとからなり、前記付勢手段が、該可動プレートとともに前記電極側支持体を前記検査側支持体側に付勢する付勢部を有する。
【国際調査報告】
2012108066.tif 000017
2012108066.tif 000018
2012108066.tif 000019
2012108066.tif 000020